(57)【要約】【課題】装飾性を損なうことなく前面パネルと前面パネル裏側に取付けられたフレームを電気的に接続し、且つ隙間を埋めるように介在物をいれて外界と内部を遮蔽しシールド効果を得ることが出来る車両用電子装置のプリント板収納トレイのシールド構造を提供する。【解決手段】四角形の貫通孔を有し垂直に配置された前面パネルの材質をステンレスとし、この前面パネルの裏側に取付けられたフレームとの接触部分を無塗装とすることにより積極的な電気的接続面を確保し、また、前面パネルと前面パネルの裏側に取付けられたフレームの間にある隙間部分には、フレーム幅寸法と同じ長さのばね式接触板を設けて、隙間を埋め外界と内部を遮蔽し更にばねの反発力を利用して前面パネルにばね式接触板を押し付け、より確実な電気的接続を保ちシールド効果を得る。【選択図】図１
2010050246.tif 000002
【特許請求の範囲】
【請求項１】
四角形の貫通孔を有し垂直に配置された前面パネルと、前記前面パネルの裏側に取付けられたフレームと、前記フレーム内に前記前面パネルの表面側より前記貫通孔を貫通し複数枚並列に実装される車両用電子装置のプリント板とを備え、
前記プリント板の前面パネル側端面に垂直に取付けられたフロントパネルを前記フレーム内に固定してなる車両用電子装置プリント板収納トレイにおいて、
前記前面パネルの装飾性を損なうことなく前記前面パネルと前記フレームとの間に生じる隙間を埋めるように介在物を入れて外界と内部を遮蔽し、且つ介在物により電気的接続が確実に得られることを特徴とする車両用電子装置のプリント板収納トレイのシールド構造。
【請求項２】
請求項１記載の車両用電子装置のプリント板収納トレイにおいて、前記前面パネルと前記前面パネルの裏側に取付けられたフレームとの間に生じる隙間を埋めるようにばね式接触板を介在させて取付け、前記ばね式接触板を互いの金属面に押し付けるように配置して接触導通させて電気的接続を保ち、且つ、電磁シールド効果が得られることを特徴とする車両用電子装置のプリント板収納トレイのシールド構造。
【発明の詳細な説明】
【技術分野】
【０００１】
本発明は、鉄道車両のプリント板収納構造に係り、特に、車両用電子装置のプリント板収納トレイのシールド構造に関するものである。
【背景技術】
【０００２】
車両用電子装置のプリント板収納トレイ構造としては、例えば、特許文献１に記載のものが知られている。従来の車両用電子装置のプリント板収納トレイ構造は、四角形の貫通孔を有し垂直に配置された前面パネルと、この前面パネルの裏面に取付けられたフレームをフレーム取付けねじで固定することにより接触させていた。
【０００３】
図３〜図６に従来の車両用電子装置のプリント板収納トレイ構造を示す。図３は従来構造によるプリント板収納トレイの縦断面図を示し、図４は下部拡大図、図５は平面図、図６は正面図を示す。
【０００４】
従来のプリント板収納トレイ構造では、前面パネルに塗装が施されていることから確実な電気的接続が確保されておらずシールド性能が劣っていた。
【特許文献１】特開２０００−２１６５６９号公報
【発明の開示】
【発明が解決しようとする課題】
【０００５】
従来の技術では、前面パネルの材質が鉄であり、装飾性を確保するため塗装がされており、確実な電気的接続を確保していなかったため、収納されるプリント板を電気的に安定な電位に維持するためのシールド性能が劣っており、また、前面パネルと前面パネルの裏側に取付けられたフレームの間には隙間があり、この隙間から放射する電磁波が車両内外の電子機器に及ぼす悪影響を防止し、且つこの隙間からの電磁波の侵入による悪影響を防止する確実な電磁シールド効果が得られていなかった。
【０００６】
本発明の目的は、意匠性を損なうことなく前面パネルと前面パネル裏側に取付けられたフレームを電気的に接続し、且つ隙間を埋めるように介在物をいれて外界と内部を遮蔽しシールド効果を得ることが出来る車両用電子装置のプリント板収納トレイのシールド構造を提供することにある。
【課題を解決するための手段】
【０００７】
上記目的を達成するために、本発明の車両用電子装置のプリント板収納トレイ構造は、四角形の貫通孔を有し垂直に配置された前面パネルと、前記前面パネルの裏側に取付けられたフレームと、前記フレーム内に前記前面パネルの表面側より前記貫通孔を貫通し複数枚並列に実装される車両用電子装置のプリント板とを備え、前記プリント板の前面パネル側端面に垂直に取付けられたフロントパネルを前記フレーム内に固定してなる車両用電子装置プリント板収納トレイにおいて、前記前面パネルの装飾性を損なうことなく前記前面パネルと前記フレームとの間に生じる隙間を埋めるように介在物を入れて外界と内部を遮蔽し、且つ介在物により電気的接続が確実に得られることを特徴とする。
【発明の効果】
【０００８】
本発明によれば、前面パネルの装飾性を損なうことなく前面パネルとフレームの積極的な電気的接続を確保することができ、且つ前面パネルとフレームの間にある隙間を埋めるように介在物を入れて外界と内部を遮蔽することによりシールド効果を得ることが出来る。
【発明を実施するための最良の形態】
【０００９】
以下、図１及び図２を参照して、本発明の実施の形態について説明する。
【実施例】
【００１０】
図１は本発明の実施例のプリント板収納トレイの縦断面を示し、図２はプリント板収納トレイの縦断面図の下部拡大図を示す。
【００１１】
前面パネル１には表面側よりプリント板３およびフロントパネル４が挿入可能な大きさの四角形の貫通孔が設けられており、さらに前面パネル１の裏側にはプリント板３を収納可能なフレーム２が、フレーム取付けねじ８ａ〜８ｄを用いて（図６参照）取付けられている。
【００１２】
プリント板収納トレイの前面に設けられた回動可能な複数のプリント板挿抜用操作レバー５を回動して、前面を開放し、プリント板３をそれぞれガイドレール６に沿って挿抜する。
【００１３】
フレーム２には前面パネル１と接触する上側のばね式接触板７ａと下側のばね式接触板７ｂが設けられている。下側のばね式接触板７ｂには、屈曲したフレーム２の端部が挿入固定される屈曲部９ｂと屈曲部９ｂから前面パネル１の裏面方向に延びた可撓性のある延長部１０ｂが形成され、延長部１０ｂの先端が前面パネル１の裏面に当接する。上側のばね式接触板７ａも下側のばね式接触板７ｂと同様に、フレーム２の端部が固定される固定部と固定部から前面パネル１の裏面方向に延びた可撓性のある延長部を備えている。
【００１４】
前面パネル１の材質はステンレスとし、ばね式接触板７ａ、７ｂ、フレーム２が接触する前面パネル１の接触面は、電気的接続を確保するため無塗装とする。なお、前面パネル１の接触面以外は装飾性を確保するため塗装を施す。
【００１５】
ばね式接触板７ａ、７ｂは前面パネル１との接触面において、ばねの反発力を利用して前面パネルにばね式接触板を押し付けて、より確実な電気的接続を得ることが出来る。また、前面パネル１とフレーム２の間にある隙間を埋め外界と内部を遮蔽するため、ばね式接触板７ａ、７ｂはフレーム２の幅寸法と同じ長さが設けられており、前面パネル１とフレーム２の間にある隙間からの電磁波の放射及び侵入を防止する。
【００１６】
本実施例によれば、前面パネル１の装飾性を損なうことなく前面パネル１とフレーム２の電気的接続を確保することができ、且つ隙間を埋め外界と内部を遮蔽しシールド効果を得ることが出来る構造になる。
【図面の簡単な説明】
【００１７】
【図１】図１は本発明の一実施例を示すプリント板収納トレイの縦断面図を示す。
【図２】図２は本発明の一実施例を示すプリント板収納トレイの縦断面図の下部拡大図を示す。
【図３】従来構造によるプリント板収納トレイの縦断面図を示す。
【図４】従来構造によるプリント板収納トレイの縦断面図の下部拡大図を示す。
【図５】従来構造によるプリント板収納トレイの平面図を示す。
【図６】従来構造によるプリント板収納トレイの正面図を示す。
【符号の説明】
【００１８】
１    前面パネル、
２    フレーム、
３    プリント板、
４    フロントパネル
５    プリント板挿抜用操作レバー、
６    ガイドレール、
７ａ    上側ばね式接触板、
７ｂ    下側ばね式接触板、
８ａ    フレーム取付けねじ、
８ｂ    フレーム取付けねじ
８ｃ    フレーム取付けねじ、
８ｄ    フレーム取付けねじ
９ｂ    屈曲部
１０ｂ    延長部
【図１】
2010050246.tif 000003
【図２】
2010050246.tif 000004
【図３】
2010050246.tif 000005
【図４】
2010050246.tif 000006
【図５】
2010050246.tif 000007
【図６】
2010050246.tif 000008